(57)【要約】【課題】ブルーバック画像を色むらのない均一な状態で表示させる。【解決手段】入力されるビデオ信号から原色成分毎に分離したクロマ信号を作成するクロマ回路15と、このクロマ回路15に入力されるビデオ信号を遮断信号V-MUTEにより一時的に遮断する一方で、この遮断中に表示させる所定の背景色のクロマ信号EXT-Ｒ，Ｇ，Ｂを発生してクロマ回路15に与える制御部13と、この制御部13から出力される遮断信号V-MUTEを一定時間だけ遅延させた信号に基づき、上記遮断中に表示させる画像信号中の背景色に対応する色成分信号EXT-Ｂのクロマ回路15への入力を遅延させる遅延ゲート回路23とを備える。【選択図】      図１
2005167411.tif 000002
【特許請求の範囲】
【請求項１】
入力されるビデオ信号から原色成分毎に分離したクロマ信号を作成するクロマ回路と、
このクロマ回路に入力されるビデオ信号を遮断信号により一時的に遮断する一方で、この遮断中に表示させる所定の背景色の画像信号を発生して上記クロマ回路に与える制御手段と、
この制御手段から出力される遮断信号を一定時間だけ遅延させた信号に基づき、上記遮断中に表示させる画像信号中の背景色に対応する色成分信号の上記クロマ回路への入力を遅延させる遅延手段と
を具備したことを特徴とする画像処理装置。
【請求項２】
上記遅延手段は、上記制御手段が発生する遮断信号を単安定マルチバイブレータにより遅延し、この単安定マルチバイブレータで一定時間遅延した遮断信号に基づいたゲート制御により上記遮断中に表示させる画像信号中の背景色に対応する色成分信号の上記クロマ回路への入力を遅延させることを特徴とする請求項１記載の画像処理装置。
【請求項３】
入力されるビデオ信号から原色成分毎に分離したクロマ信号を作成するクロマ回路に対し、入力されるビデオ信号を遮断信号により一時的に遮断する一方で、この遮断中に表示させる所定の背景色の画像信号を発生して上記クロマ回路に与える制御工程と、
この制御工程で出力される遮断信号を一定時間だけ遅延させた信号に基づき、上記遮断中に表示させる画像信号中の背景色に対応する色成分信号の上記クロマ回路への入力を遅延させる遅延工程と
を有したことを特徴とする画像処理方法。
【発明の詳細な説明】
【技術分野】
【０００１】
本発明は、例えばテレビ受像機やビデオムービーカメラの液晶モニタ部等に好適な画像処理装置に関する。
【背景技術】
【０００２】
従来、液晶テレビやビデオムービーカメラの液晶モニタ部、あるいはビデオレコーダの予約録画設定時等では、通常の動作画面に代えて、動作状況を示す情報やガイドメッセージ等を表示するために一時的に画面の背景全体を例えば黒や青一色で表示するようにしていた。
【０００３】
この背景色を１色で表示する状態は、例えば液晶テレビを携帯使用する場合など、受信状態の変化により同期信号の検出電圧が不安定となると画面にちらつきを生じ易く、ユーザにとって見づらいものとなってしまう。
【０００４】
そのような不具合を解決するために、同期信号の検出電圧を比較するためのスレッシュホールドレベルを可変設定し、動作を安定化してちらつきの少ないブルーバック画像を提供するようにしたものが考えられている。（例えば、特許文献１）
【特許文献１】特開平５−０８３７２４号公報
【発明の開示】
【発明が解決しようとする課題】
【０００５】
しかしながら、ブラックバック画像ではなくブルーバック画像を表示させるに際しては、画面のちらつきとは別に、画面全面に均一で色むらのない青色を表示させることが困難であるという不具合もあった。
【０００６】
これは、ビデオ信号から原色成分毎に分離したクロマ信号を作成するクロマ回路が、ビデオ信号に代わって表示させるための外部入力信号に対し、その基準レベルをクランプするための期間が１水平期間毎に必要となるためで、その期間を適正に設定しないと、例えばブルーバック表示である筈が、１／３が黒で残りの２／３が青の縞模様となってしまうなど、画面の背景全面を均一で色むらのない状態で表示させることができない。
【０００７】
本発明は上記のような実情に鑑みてなされたもので、その目的とするところは、ブルーバック画像に代表される任意の背景色画像を色むらのない均一な状態で表示させることが可能な画像処理装置及び画像処理方法を提供することにある。
【課題を解決するための手段】
【０００８】
本願請求項１記載の発明は、入力されるビデオ信号から原色成分毎に分離したクロマ信号を作成するクロマ回路と、このクロマ回路に入力されるビデオ信号を遮断信号により一時的に遮断する一方で、この遮断中に表示させる所定の背景色の画像信号を発生して上記クロマ回路に与える制御手段と、この制御手段から出力される遮断信号を一定時間だけ遅延させた信号に基づき、上記遮断中に表示させる画像信号中の背景色に対応する色成分信号の上記クロマ回路への入力を遅延させる遅延手段とを具備したことを特徴とする。
【０００９】
請求項２記載の発明は、上記請求項１記載の発明において、上記遅延手段は、上記制御手段が発生する遮断信号を単安定マルチバイブレータにより遅延し、この単安定マルチバイブレータで一定時間遅延した遮断信号に基づいたゲート制御により上記遮断中に表示させる画像信号中の背景色に対応する色成分信号の上記クロマ回路への入力を遅延させることを特徴とする。
【００１０】
請求項３記載の発明は、入力されるビデオ信号から原色成分毎に分離したクロマ信号を作成するクロマ回路に対し、入力されるビデオ信号を遮断信号により一時的に遮断する一方で、この遮断中に表示させる所定の背景色の画像信号を発生して上記クロマ回路に与える制御工程と、この制御工程で出力される遮断信号を一定時間だけ遅延させた信号に基づき、上記遮断中に表示させる画像信号中の背景色に対応する色成分信号の上記クロマ回路への入力を遅延させる遅延工程とを有したことを特徴とする。
【発明の効果】
【００１１】
請求項１記載の発明によれば、クロマ回路での基準となる黒レベルのクランプを確実に実行させ、ブルーバック画像に代表される任意の背景色画像を色むらのない均一な状態で表示させることが可能となる。
【００１２】
請求項２記載の発明によれば、上記請求項１記載の発明の作用に加えて、汎用のＩＣチップを用いてきわめて安価な回路構成で実現できる。
【００１３】
請求項３記載の発明によれば、クロマ回路での基準となる黒レベルのクランプを確実に実行させ、ブルーバック画像に代表される任意の背景色画像を色むらのない均一な状態で表示させることが可能となる。
【発明を実施するための最良の形態】
【００１４】
以下本発明を、テレビ受信画像に代えて必要によりブルーバック画像を表示する液晶テレビ装置に適用した場合の実施の一形態について図面を参照して説明する。  
図１は、その具体的な回路構成を例示するものである。同図で、テレビ放送電波をアンテナ１１で受信し、得られたＲＦ信号をチューナ１２に供給する。
【００１５】
このチューナ１２は、制御部１３からのチューニング信号に応じて指定のチャンネル（周波数帯）を選択し、中間周波信号に変換した後に内部のフィルタ回路で映像中間周波信号と音声中間周波信号とに分離する。
【００１６】
そして、分離した映像中間周波信号を増幅した後に映像検波してコンポジット（複合）ビデオ信号を生成し、スイッチ１４を介してクロマ回路１５及び同期分離回路１６へ送出する一方、音声中間周波信号を音声検波、ＦＭ復調して可聴周波数範囲のオーディオ信号とし、音声調整部１７へ送出する。
【００１７】
音声調整部１７は、具体的には電子ボリュームでなり、その時点で選択されている音量に対応してオーディオ信号を減衰させるもので、この音声調整部１７の出力するオーディオ信号がアンプ（Ａｍｐ．）１８で所定の利得分だけ増幅された後に、スピーカ（ＳＰ）１９で拡声放音される。
【００１８】
上記同期分離回路１６は、スイッチ１４を介して送られてくるコンポジットビデオ信号に含まれる水平同期信号ＨＤ及び垂直同期信号ＶＤを分離してＬＣＤユニット２０へそれぞれ出力する。
【００１９】
クロマ回路１５は、１チップ化されたＩＣで構成されるもので、後述する制御部１３からのビデオ遮断信号Ｖ−ＭＵＴＥが入力されていない状態では、ＬＣＤユニット２０からの水平同期信号ＨＳＹに同期してスイッチ１４を介して入力されるコンポジットビデオ信号から原色成分毎に分離したクロマ信号ＲＧＢを作成し、ＬＣＤユニット２０へ出力すると共に、液晶駆動電圧を発生してアンプ（Ａｍｐ．）２１により一定の利得で増幅させ、走査電圧ＶＣＯＭとしてＬＣＤユニット２０に供給し、さらに上記制御部１３へ同期信号ＳＹＮＣ  ＯＵＴを送出する。
【００２０】
一方でクロマ回路１５は、ビデオ遮断信号Ｖ−ＭＵＴＥが入力されている状態では、後述するブルーバック画像表示のための原色成分毎に分離した外部クロマ信号ＥＸＴ−Ｒ，ＥＸＴ−Ｇ，ＥＴＸ−Ｂ′をそのままクロマ信号ＲＧＢとしてスルーでＬＣＤユニット２０へ出力する。
【００２１】
制御部１３は、マイクロプロセッサユニット（ＭＰＵ）により構成されるもので、上記チューナ１２に所望のチャンネルを選局するためのチューニング信号を出力すると共に、ブルーバック画像を表示するためのビデオ遮断信号Ｖ−ＭＵＴＥを生成する。
【００２２】
このビデオ遮断信号Ｖ−ＭＵＴＥは、インバータ２２で反転されて上記スイッチ１４の開閉制御に使用される他、遅延ゲート回路２３を構成する単安定マルチバイブレータ２４と上記クロマ回路１５とに送出される。
【００２３】
また制御部１３は、遅延ゲート回路２３内のアンド回路２５に外部クロマ信号ＥＸＴ−Ｂを供給する一方で、上記クロマ回路１５に直接外部クロマ信号ＥＸＴ−Ｒ，ＥＸＴ−Ｇを供給する。
【００２４】
遅延ゲート回路２３は、上記単安定マルチバイブレータ２４、アンド回路２５とインバータ２６とにより構成されるもので、単安定マルチバイブレータ２４により一定時間幅だけ遅延された制御部１３からのビデオ遮断信号Ｖ−ＭＵＴＥがインバータ２６により反転された後に信号αとしてアンド回路２５に与えられる。
【００２５】
アンド回路２５には、上述した如く制御部１３からの外部クロマ信号ＥＸＴ−Ｂが入力されている。そのため、結果的にこの外部クロマ信号ＥＸＴ−Ｂが単安定マルチバイブレータ２４で一定の時間幅分だけ遅延されたビデオ遮断信号Ｖ−ＭＵＴＥによりアンド回路２５でゲート制御されて立ち上がりタイミングが遅延され、信号β、すなわち外部クロマ信号ＥＸＴ−Ｂ′として上記クロマ回路１５へ与えられることになる。
【００２６】
ＬＣＤユニット２０は、上記同期分離回路１６からの水平同期信号ＨＤ及び垂直同期信号ＶＤと、クロマ回路１５からの走査電圧ＶＣＯＭに基づいて、クロマ回路１５から与えられるクロマ信号に従ったカラー画像を表示するものであり、また、上記クロマ回路１５と制御部１３とに水平同期信号ＨＳＹを、制御部１３のみに垂直同期信号ＶＳＹを出力する。
【００２７】
上記のような構成にあって、制御部１３の出力するビデオ遮断信号Ｖ−ＭＵＴＥが例えば図２（１）に示すように５［μＳ］の時間幅の水平同期信号ＨＳＹに同期とした同期パルス成分を有しているものとする。
【００２８】
このビデオ遮断信号Ｖ−ＭＵＴＥはインバータ２２で反転されてスイッチ１４に入力されるもので、結果としてビデオ遮断信号Ｖ−ＭＵＴＥが“Ｈ”レベルにある時にオフとなってチューナ１２からのコンポジットビデオ信号のクロマ回路１５への入力を遮断する。
【００２９】
同時にクロマ回路１５は、この制御部１３からのビデオ遮断信号Ｖ−ＭＵＴＥが“Ｈ”レベルにある時に制御部１３から送られてくる外部クロマ信号ＥＸＴ−Ｒ，Ｇ，Ｂをそのままスルーさせてクロマ信号ＲＧＢとしてＬＣＤユニット２０へ出力する状態になる。
【００３０】
制御部１３が上記ビデオ遮断信号Ｖ−ＭＵＴＥに同期して図２（２）に示すようなブルーバック画像を表示するための外部クロマ信号ＥＸＴ−Ｂを出力するものとすると、この外部クロマ信号ＥＸＴ−Ｂのみが、直接クロマ回路１５にではなく、遅延ゲート回路２３のアンド回路２５に入力される。
【００３１】
なお、上記図２（２）中の破線で示す部分Ｃは、ブルーバック画像中でガイドメッセージ等のキャラクタ表示を行なうための信号成分である。この場合、図示はしないが、ブルーバック画像であるために他の色成分の外部クロマ信号ＥＸＴ−Ｒ，Ｇでは、この信号成分Ｃに対応する部分のみが適宜必要な信号波形を有するものとなる。
【００３２】
このとき遅延ゲート回路２３では、単安定マルチバイブレータ２４、アンド回路２５によりビデオ遮断信号Ｖ−ＭＵＴＥを図２（３）に示すようにパルス幅を変えて遅延した信号αとしている。
【００３３】
そのため、アンド回路２５でのゲート制御の結果得られる外部クロマ信号ＥＸＴ−Ｂ′は、図２（４）に示すようにその立上がりタイミングが図中にハッチングＨで示す時間幅分、具体的には３．５〜４．０［μＳ］程度だけ遅延されたものとなる。
【００３４】
このようにクロマ回路１５に与える外部クロマ信号ＥＸＴ−Ｂ′に対し、遅延ゲート回路２３内の単安定マルチバイブレータ２４の特性により任意にその遅延幅を設定することができる。
【００３５】
そのため、クロマ回路１５で基準となる黒レベルのクランプを確実に実行させ、その背景色となる青色を表示させる際に画面全体で色むらがなく、均一な状態で表示させることができる。
【００３６】
図３は、ＬＣＤユニット２０の画面に表示されたブルーバック画像の一例を示すもので、画面全面が背景色ＢＣとして青色一色で表示されると共に、画面中の右上端部にてその時点での入力がチューナ１２によるチャンネル選局によるものではなく、外部からの（第１の）ライン入力であることを「ライン入力１」なるチャンネル表示ＣＤにて表示している。
【００３７】
この状態でブルーバック画像となっているのは、「ライン入力１」を選択しながらも、実際の外部入力がない状態出あることを表している。
【００３８】
なお、上記実施の形態では、ブルーバック画像を表示させるものとして外部クロマ信号ＥＸＴ−Ｂに対して遅延ゲート回路２３を配設するものとして説明したが、本発明はブルーバック画像に限定するものでなく、任意の背景色に対応するものである。
【００３９】
その場合、その任意の背景色を構成する各原色成分毎に上記遅延ゲート回路２３と同様の回路を配設するものとすれば、上記と同様に画面全体で色むらがなく、均一な状態の背景色を表示させることができる。
【００４０】
また、上記実施の形態では、具体的な遅延素子として単安定マルチバイブレータを用いるものとしたが、これによりインバータ２６とアンド回路２５も併せて汎用のＩＣチップを用いたきわめて簡易な構成ながら安定した動作の遅延ゲート回路２３を実現することができ、既存の画像処理系の回路に容易に付加設定することができる。
【００４１】
なお、上記実施の形態は液晶テレビ装置に適用した場合について説明したものであるが、本発明はこれに限るものではなく、ビデオムービーカメラの液晶モニタ部、予約録画等の機能を有するビデオレコーダなど、入力されているビデオ画像とは別に任意の背景色による画像を表示させる必要がある画像機器出あればいずれにも適用可能となる。
【００４２】
その他、本発明は上記実施の形態に限らず、その要旨を逸脱しない範囲内で種々変形して実施することが可能であるものとする。
【００４３】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【００４４】
【図１】本発明の実施の一形態に係る液晶テレビ装置の回路構成を示すブロック図。
【図２】同実施の形態に係るブルーバック画像表示時の各信号波形を例示するタイミングチャート。
【図３】同実施の形態に係るブルーバック画像の画面表示例を示す図。
【符号の説明】
【００４５】
１１…アンテナ、１２…チューナ、１３…制御部、１４…スイッチ、１５…クロマ回路、１６…同期分離回路、１７…音声調整部、１８…アンプ（Ａｍｐ．）、１９…スピーカ（ＳＰ）、２０…ＬＣＤユニット、２１…アンプ（Ａｍｐ．）、２２…インバータ、２３…遅延ゲート回路、２４…単安定マルチバイブレータ、２５…アンド回路、２６…インバータ。
【図１】
2005167411.tif 000003
【図２】
2005167411.tif 000004
【図３】
2005167411.tif 000005